【事件の表示】
　平成　８年特許願第　７８６１９号「電子写真用感光体の塗布装置」拒絶査定不服審判事件〔平成　９年１０月１４日出願公開、特開平　９−２６９６０４〕について、次のとおり審決する。
【結　論】
　本件審判の請求は、成り立たない。
【理　由】
１．手続の経緯
　本願は、出願日が平成８年４月１日である特願平８−７８６１９号であって、平成１４年９月４日付で拒絶査定がなされ、これに対し平成１４年１０月１０日に拒絶査定に対する審判請求がなされた。
　
２．本願発明
　本願の請求項２に係る発明は、平成１４年８月１２日付手続補正書の特許請求の範囲の請求項２に記載された次のとおりのもの（以下、「本願発明」という）と認める。
「浸漬塗布法により円筒状基体の外表面に感光層塗膜を形成するための塗布液を有する塗布槽と、この塗布槽から溢れた前記塗布液を回収して前記塗布槽へ再供給するための回収配管，貯留槽，供給配管からなる塗布液循環機構と、前記塗布槽の中へ前記円筒状基体を浸漬する昇降機構とを備えた塗布装置において、前記塗布液循環機構の中に脱気機構を配設し、該脱気機構は前記回収配管と前記貯留槽の間に略鉛直に配設された脱気管と前記貯留槽の中に配設されたガイドとからなることを特徴とする電子写真用感光体の塗布装置。」
　
３．引用例
　これに対して、原査定の拒絶の理由に引用された、実願平１−５５４４１（実開平２−１４７２７１号公報）のマイクロフィルム（以下、「引用例１」という。）には、次の事項が記載されている。
ア．【産業上の利用分野】
　本考案は、例えば電子写真用の感光ドラムを被塗布物として、該ドラム基体の表面に感光層を塗着形成させる塗布装置に関する。（明細書第１頁１１〜１４行）
　　
イ．【従来の技術】
  感光ドラムの感光層塗布装置として（「とて」は誤記と認める。）従来では第３図に示すような装置が使用されている。図において、１は塗布液（セレンなどの光導電性材料を樹脂中に分散させた液）２を満たした上面開放の塗布槽、３は容積の大きな液溜槽、４は塗布槽１と液溜槽３との底部の間に配管した送液管、５は送液ポンプ、６は塗布槽１の頂部と液溜槽３との間に配管したオーバーフロー戻し管である。（明細書第１頁１５行〜第２頁３行）
　
ウ．一方、塗布槽１の側方には被塗布物である感光ドラム基体７を把持して昇降操作するハンドリング装置８が据付けてあり、前記のように塗布液２を塗布槽１と液溜槽３との間で循環送流させながら、ドラム基体７を塗布槽内の液中に浸漬、引き上げ操作することによりドラム基体７の表面に塗材が塗着され、その後の乾燥工程を経て感光層が形成される。（明細書第２頁１０〜１７行）
　
エ．【実施例】
　・・・本考案により塗布槽１から引出したオーバーフロー戻り管６と液溜槽３との間には、新たに泡抜き用の気液分離管８が介装されている。この気液分離管８は、第２図に明示されているように液溜槽３の槽内における液面よりも低い位置で槽の側面からエルボ形に屈曲して立ち上がるように接続したパイプであり、かつそのパイプ上端と液溜槽３の槽内上部空間との間が均圧排気管１０を介して連通し合っている。（明細書第５頁３〜１４行）
　
　したがって、上記記載事項、及び図面も参照すると、引用例１には、
「塗布槽内の液中に浸漬、引き上げ操作することによりドラム基体７の表面に感光層を塗着形成させる塗布液２を満たした上面開放の塗布槽１と、この塗布槽１からオーバーフローした塗布液２を回収して前記塗布槽１へ循環送流させるためのオーバーフロー戻り管６、液溜槽３、送液管４からなる塗布液循環送流機構と、前記塗布槽１の中へ前記ドラム基体７を浸漬、引き上げのため昇降操作するハンドリング装置８とを備えた塗布装置において、前記塗布液循環送流機構の中に泡抜き用の気液分離管８が介装され、気液分離管８は前記オーバーフロー戻り管６と前記液溜槽３との間に略鉛直に配設されている電子写真用の感光ドラムの塗布装置」（以下、「引用発明」という。）が記載されていると認められる。
　
　また、原査定の拒絶の理由に引用された、特開平７−８８４１１号公報（以下、「引用例２」という。）には、次の事項が記載されている。
オ．【０００１】【産業上の利用分野】
　本発明は液循環装置に関し、詳しくは、基体表面に或る種の塗工膜（例えば電子写真感光層など）を形成するための塗布装置における液循環装置に関する。
　
カ．【００１１】
　図４（ａ）は液循環タンク４に隣接して液循環タンク４１を配設し、これらのタンク４、４１を底部に近いところでパイプ６１で接続し、後段のタンク４１内の液流入口近傍に邪魔板８を配置し、液循環タンク４１からの液を液循環パイプ６を通してカラーパン２に戻すようにした液循環装置である。この装置においては、泡を含んだ塗工液は泡浮上パイプ３を通り、循環タンク４の中に流入する。この際、塗工液は泡浮上パイプ３により液循環タンク４の液面に向け流出するため、塗工液に含まれている泡がタンク液面に集まる。そのため、泡が自然破泡し易い。また、液循環タンク４の底部に近いところの排出口に新たな液循環タンク４１を付加し、その新たな液循環タンクの内部の導入口近傍に邪魔板８を設けたことにより、塗工液は邪魔板８により、流路が変わり上方の液面に向かって流れ、塗工液中の残余の泡が液面に集まり自然破泡する。また、塗工液の流路が変わるためショートパスも防止される。従って、循環ポンプ５により、塗工液がカラーパン２に戻る時にはもはや泡が含まれない塗工液となる。
　
４．対比
　そこで、本願発明と引用発明とを比較すると、引用発明の「塗布槽内の液中に浸漬、引き上げ操作することによりドラム基体７の表面に感光層を塗着形成させる塗布液２を満たした上面開放の塗布槽１」は、本願発明の「浸漬塗布法により円筒状基体の外表面に感光層塗膜を形成するための塗布液を有する塗布槽」に相当する。以下、同様に「この塗布槽１からオーバーフローした塗布液２を回収して前記塗布槽１へ循環送流させるためのオーバーフロー戻り管６、液溜槽３、送液管４からなる塗布液循環送流機構」は「この塗布槽から溢れた前記塗布液を回収して前記塗布槽へ再供給するための回収配管，貯留槽，供給配管からなる塗布液循環機構」に、「塗布槽１の中へ前記ドラム基体７を浸漬、引き上げのため昇降操作するハンドリング装置８」は「塗布槽の中へ前記円筒状基体を浸漬する昇降機構」に、「オーバーフロー戻り管６と前記液溜槽３との間に略鉛直に配設されている気液分離管８」は「回収配管と前記貯留槽の間に略鉛直に配設された脱気管」に、「電子写真用の感光ドラムの塗布装置」は「電子写真用感光体の塗布装置」に、それぞれ相当する。
　
　また、引用発明の「泡抜き用の気液分離管８」が、本願発明の「脱気機構」と構成は相違するものの、「脱気機構」であることは明らかである。
　
　したがって、本願発明と引用発明とは、「浸漬塗布法により円筒状基体の外表面に感光層塗膜を形成するための塗布液を有する塗布槽と、この塗布槽から溢れた前記塗布液を回収して前記塗布槽へ再供給するための回収配管，貯留槽，供給配管からなる塗布液循環機構と、前記塗布槽の中へ前記円筒状基体を浸漬する昇降機構とを備えた塗布装置において、前記塗布液循環機構の中に脱気機構を配設し、該脱気機構は前記回収配管と前記貯留槽の間に略鉛直に配設された脱気管からなることを特徴とする電子写真用感光体の塗布装置。」である点で一致し、以下の点で相違する。
　
相違点；本願発明では、脱気機構が、脱気管と貯留槽の中に配設されたガイドとからなるのに対し、引用発明では、貯留槽の中に配設されたガイドの記載がない点。
　
５．当審の判断
　上記各相違点について検討する。
　引用例２の液循環タンクの内部の導入口近傍に設けられた邪魔板８は、上記記載事項カ．に「塗工液は邪魔板８により、流路が変わり上方の液面に向かって流れ、塗工液中の残余の泡が液面に集まり自然破泡する。」と記載されるように、本願発明のガイドに相当することは明らかである。そして、引用例２も引用発明と技術分野を同じくするものであり、引用発明に引用例２に記載された発明を適用して、上記相違点に係る構成とすることは、当業者にとって容易である。
　
　また、本願発明の作用・効果についても、引用発明、及び引用例２に記載された発明から予測し得る範囲内のものである。
　
６．むすび
　したがって、本願発明は、引用例１及び引用例２に記載された発明に基いて当業者が容易に発明をすることができたものであるので、特許法第２９条第２項の規定により特許を受けることができない。
　よって、結論のとおり審決する。